(57)【要約】エンジンブレーキ走行よりもエンジンブレーキ力を低下させた状態で走行する惰性走行が可能な車両において、ブレーキ操作時のブレーキ力の増幅作用を確保しつつ燃費を一層向上させることを目的とする。  エンジン（１２）を回転停止させて走行することで優れた燃費効率が得られるフリーラン惰性走行は、ブレーキ操作力（Ｂｒｋ）が第１判定値（α）に達するまで実行され、エンジン（１２）を回転させたまま走行することでブレーキブースタ（４２）によるブレーキ操作力（Ｂｒｋ）の増幅作用が適切に得られるニュートラル惰性走行は、第１判定値（α）よりも大きい第２判定値（β）に達するまで実行されるため、フリーラン惰性走行およびニュートラル惰性走行の何れか一方だけを実行する場合に比較して、ブレーキ操作による車両制動力を確保しつつ全体として燃費を一層向上させることができる。
2014068725.tif 000002
【特許請求の範囲】
【請求項１】
エンジンと、運転者のブレーキ要求量に応じて操作されるブレーキ操作部材と、前記エンジンの回転により発生する負圧を利用してブレーキ力を増幅するブレーキブースタと、を備えており、
前記エンジンと車輪とを連結したまま該エンジンの被駆動回転によりエンジンブレーキを効かせて走行するエンジンブレーキ走行、および該エンジンブレーキ走行よりもエンジンブレーキ力を低下させた状態で走行する惰性走行が可能で、該惰性走行を終了する条件として前記ブレーキ要求量が含まれている車両の走行制御装置において、
前記惰性走行として、前記エンジンを回転停止させて走行する第１の惰性走行、および前記エンジンを回転させたまま走行する第２の惰性走行を、それぞれ予め定められた実行条件に従って実行する一方、
前記第１の惰性走行の実行中に前記ブレーキ要求量が予め定められた第１判定値以上になったら該第１の惰性走行が終了させられ、
前記第２の惰性走行の実行中に前記ブレーキ要求量が前記第１判定値よりも大きい予め定められた第２判定値以上になったら該第２の惰性走行が終了させられる
ことを特徴とする車両の走行制御装置。
【請求項２】
前記第１判定値および前記第２判定値は、何れも路面の勾配に応じて設定され、下り勾配の場合には平坦路に比べて小さな値が定められる
ことを特徴とする請求項１に記載の車両の走行制御装置。
【請求項３】
前記第１判定値および前記第２判定値は、何れも路面の勾配に応じて設定され、上り勾配の場合には平坦路に比べて大きな値が定められる
ことを特徴とする請求項１または２に記載の車両の走行制御装置。
【請求項４】
前記第１の惰性走行中に前記ブレーキ要求量が前記第１判定値以上になったら前記第２の惰性走行へ移行し、該第２の惰性走行中に前記ブレーキ要求量が前記第２判定値以上になったら前記エンジンブレーキ走行に復帰する
ことを特徴とする請求項１〜３の何れか１項に記載の車両の走行制御装置。
【請求項５】
前記第１の惰性走行中に前記ブレーキ要求量が前記第１判定値以上になったら前記エンジンブレーキ走行に復帰し、
前記第２の惰性走行中に前記ブレーキ要求量が前記第２判定値以上になったら前記エンジンブレーキ走行に復帰する
ことを特徴とする請求項１〜３の何れか１項に記載の車両の走行制御装置。
【請求項６】
前記第１の惰性走行は、前記エンジンを前記車輪から切り離すとともに該エンジンに対する燃料供給を停止して回転停止させるフリーラン惰性走行で、
前記第２の惰性走行は、前記エンジンを前記車輪から切り離した状態で該エンジンに燃料を供給して作動させるニュートラル惰性走行である
ことを特徴とする請求項１〜５の何れか１項に記載の車両の走行制御装置。
【請求項７】
前記第１の惰性走行は、前記エンジンを前記車輪から切り離すとともに該エンジンに対する燃料供給を停止して回転停止させるフリーラン惰性走行で、
前記第２の惰性走行は、前記エンジンと前記車輪とを連結したまま該エンジンに対する燃料供給を停止するとともに、該エンジンの複数の気筒の中の一部の気筒のピストンおよび吸排気弁の少なくとも一方の動作を停止させる気筒休止惰性走行である
ことを特徴とする請求項１〜５の何れか１項に記載の車両の走行制御装置。
【発明の詳細な説明】
【技術分野】
【０００１】
本発明は車両の走行制御装置に係り、特に、エンジンブレーキ走行よりもエンジンブレーキ力を低下させた状態で走行する惰性走行が可能な車両において、ブレーキ操作時のブレーキ力の増幅作用を確保しつつ燃費を一層向上させる技術に関するものである。
【背景技術】
【０００２】
エンジンと車輪とを連結したままそのエンジンの被駆動回転によりエンジンブレーキを効かせて走行するエンジンブレーキ走行に対して、走行距離を延ばして燃費を改善するために、そのエンジンブレーキ走行よりもエンジンブレーキ力を低下させて走行する惰性走行が考えられている。特許文献１に記載の装置はその一例で、(a) エンジンを回転停止させて走行する第１の惰性走行、および(b) エンジンを回転させたまま走行する第２の惰性走行の２種類の制御モードが提案されている。具体的には、第１の惰性走行は、クラッチを解放してエンジンを車輪から切り離すとともに、エンジンに対する燃料供給を停止して回転停止させるフリーラン惰性走行で、第２の惰性走行は、クラッチを解放してエンジンを車輪から切り離した状態でエンジンに燃料を供給して作動させるニュートラル惰性走行である。そして、これらの惰性走行は、特に区別されることなく何れか一方が一定の条件下で実行される。
【先行技術文献】
【特許文献】
【０００３】
【特許文献１】特開２００２−２２７８８５号公報
【発明の概要】
【発明が解決しようとする課題】
【０００４】
ところで、上記特許文献１では、ブレーキペダルの操作量すなわちブレーキ要求量が所定値以上になると、上記２種類の惰性走行を区別することなく、その惰性走行の制御モードが解除されるようになっている。すなわち、ブレーキペダルの操作は運転者の減速要求を意味しているため、惰性走行からエンジンブレーキ走行へ復帰させている。【０００５】
特許文献１には記載がないが、エンジンの状態が異なる第１の惰性走行と第２の惰性走行ではブレーキの性能に違いがある。しかしながら、特許文献１の技術では第１の惰性走行と第２の惰性走行とが区別されることなく解除されており、ブレーキ操作時の制動力を確保しつつ燃費の向上を図る上で未だ改善の余地があった。すなわち、車両には一般にエンジンの回転により発生する負圧を利用してブレーキ力を増幅するブレーキブースタが備えられているが、エンジンの回転が停止する第１の惰性走行では、ブレーキブースタに負圧を充填することができず、ブレーキの繰り返し操作でブレーキ力の増幅作用が低下するのに対し、エンジンを回転させたままの第２の惰性走行ではブレーキブースタに逐次負圧が充填されるため、ブレーキ力の増幅作用が継続して得られる。このようにブレーキ性能の特性が相違するのに、何れか一方の特性に合わせて実行条件を定めると、ブレーキ力の増幅作用は確保できるが燃費向上効果が制約される、或いは燃費は良くなるがブレーキ力の増幅作用が低下する、といった課題がある。つまり、第１の惰性走行および第２の惰性走行は、ブレーキ力の増幅作用および燃費に関して一長一短の特性を有するため、両方の惰性走行を実行する場合はその使い分けが重要になる。【０００６】
本発明は以上の事情を背景として為されたもので、その目的とするところは、エンジンブレーキ走行よりもエンジンブレーキ力を低下させた状態で走行する惰性走行が可能な車両において、ブレーキ操作時のブレーキ力の増幅作用を確保しつつ燃費を一層向上させることにある。
【課題を解決するための手段】
【０００７】
かかる目的を達成するために、第１発明は、(a) エンジンと、運転者のブレーキ要求量に応じて操作されるブレーキ操作部材と、前記エンジンの回転により発生する負圧を利用してブレーキ力を増幅するブレーキブースタと、を備えており、(b) 前記エンジンと車輪とを連結したままそのエンジンの被駆動回転によりエンジンブレーキを効かせて走行するエンジンブレーキ走行、およびそのエンジンブレーキ走行よりもエンジンブレーキ力を低下させた状態で走行する惰性走行が可能で、その惰性走行を終了する条件として前記ブレーキ要求量が含まれている車両の走行制御装置において、(c) 前記惰性走行として、前記エンジンを回転停止させて走行する第１の惰性走行、および前記エンジンを回転させたまま走行する第２の惰性走行を、それぞれ予め定められた実行条件に従って実行する一方、(d) 前記第１の惰性走行の実行中に前記ブレーキ要求量が予め定められた第１判定値α以上になったらその第１の惰性走行が終了させられ、(e) 前記第２の惰性走行の実行中に前記ブレーキ要求量が前記第１判定値αよりも大きい予め定められた第２判定値β以上になったらその第２の惰性走行が終了させられることを特徴とする。【０００８】
第２発明は、第１発明の車両の走行制御装置において、前記第１判定値αおよび前記第２判定値βは、何れも路面の勾配に応じて設定され、下り勾配の場合には平坦路に比べて小さな値が定められることを特徴とする。【０００９】
第３発明は、第１発明または第２発明の車両の走行制御装置において、前記第１判定値αおよび前記第２判定値βは、何れも路面の勾配に応じて設定され、上り勾配の場合には平坦路に比べて大きな値が定められることを特徴とする。【００１０】
第４発明は、第１発明〜第３発明の何れかの車両の走行制御装置において、前記第１の惰性走行中に前記ブレーキ要求量が前記第１判定値α以上になったら前記第２の惰性走行へ移行し、その第２の惰性走行中に前記ブレーキ要求量が前記第２判定値β以上になったら前記エンジンブレーキ走行に復帰することを特徴とする。【００１１】
第５発明は、第１発明〜第３発明の何れかの車両の走行制御装置において、(a) 前記第１の惰性走行中に前記ブレーキ要求量が前記第１判定値α以上になったら前記エンジンブレーキ走行に復帰し、(b) 前記第２の惰性走行中に前記ブレーキ要求量が前記第２判定値β以上になったら前記エンジンブレーキ走行に復帰することを特徴とする。【００１２】
第６発明は、第１発明〜第５発明の何れかの車両の走行制御装置において、(a) 前記第１の惰性走行は、前記エンジンを前記車輪から切り離すとともに該エンジンに対する燃料供給を停止して回転停止させるフリーラン惰性走行で、(b) 前記第２の惰性走行は、前記エンジンを前記車輪から切り離した状態でそのエンジンに燃料を供給して作動させるニュートラル惰性走行であることを特徴とする。【００１３】
上記ニュートラル惰性走行では、燃料供給によりエンジンが作動させられるため、それだけフリーラン惰性走行に比較して燃費が悪くなるものの、エンジンが車輪から切り離されているためエンジンブレーキ力は略０で、惰性走行による走行距離が長くなって再加速の頻度が少なくなるため、全体としてエンジンブレーキ走行に比較して燃費を向上させることができる。【００１４】
第７発明は、第１発明〜第５発明の何れかの車両の走行制御装置において、(a) 前記第１の惰性走行は、前記エンジンを前記車輪から切り離すとともにそのエンジンに対する燃料供給を停止して回転停止させるフリーラン惰性走行で、(b) 前記第２の惰性走行は、前記エンジンと前記車輪とを連結したままそのエンジンに対する燃料供給を停止するとともに、そのエンジンの複数の気筒の中の一部の気筒のピストンおよび吸排気弁の少なくとも一方の動作を停止させる気筒休止惰性走行であることを特徴とする。【００１５】
上記気筒休止惰性走行では、クランク軸が車速等に応じて被駆動回転させられるが、ピストンが停止させられる場合にはポンピング作用によるロス（回転抵抗）が無い分だけエンジンブレーキ力が低減される。また、吸排気弁が閉弁状態や開弁状態で停止させられる場合も、クランク軸に同期して開閉させられる場合に比較してポンピング作用によるロスが小さくなり、エンジンブレーキ力が低減される。【００１６】
また、この第７発明では、エンジンの複数の気筒の一部の気筒が休止させられるだけで、残りの気筒はクランク軸に同期して開閉させられるため、それ等の気筒によるポンピング作用でブレーキブースタに負圧が供給され、ブレーキ力を増幅することができる。
【発明の効果】
【００１７】
このような車両の走行制御装置においては、惰性走行としてエンジンを回転停止させて走行する第１の惰性走行およびエンジンを回転させたまま走行する第２の惰性走行が共に実行され、エンジンを回転停止させて走行する第１の惰性走行は、ブレーキ要求量が比較的小さい第１判定値α以上になったら終了させられる。このため、エンジンの回転復帰に伴ってブレーキブースタによるブレーキ力の増幅作用が適切に得られるようになり、ブレーキ操作による車両制動力を確保しつつ、ブレーキ要求量が第１判定値αに達するまでは第１の惰性走行が実行されてエンジンの回転が停止させられるため、優れた燃費向上効果が得られる。【００１８】
一方、エンジンを回転させたまま走行する第２の惰性走行は、ブレーキ要求量が比較的大きい第２判定値βに達するまで実行されるため、エンジン回転によりブレーキブースタによるブレーキ力の増幅作用が適切に得られ、ブレーキ操作による車両制動力を確保しつつ、エンジンブレーキ走行よりも優れた燃費が得られる。【００１９】
このように、エンジンを回転停止させて走行することで優れた燃費効率が得られる第１の惰性走行は、ブレーキ要求量が第１判定値αに達するまで実行され、エンジンを回転させたまま走行することでブレーキブースタによるブレーキ力の増幅作用が適切に得られる第２の惰性走行は、第１判定値αよりも大きい第２判定値βに達するまで実行されるため、第１の惰性走行および第２の惰性走行の何れか一方だけを実行する場合に比較して、ブレーキ操作による車両制動力を適切に確保しつつ全体として燃費を一層向上させることができる。【００２０】
第２発明では、第１判定値αおよび第２判定値βが、何れも下り勾配の場合には平坦路（略水平な路面）に比べて小さな値とされるため、第１の惰性走行が終了させられることによりブレーキブースタによるブレーキ力の増幅作用が速やかに得られるようになるとともに、第２の惰性走行が終了させられることによりエンジンブレーキ走行による大きなエンジンブレーキ力が速やかに得られるようになり、下り勾配で大きな車両制動力を確保できる。【００２１】
第３発明では、第１判定値αおよび第２判定値βが、何れも上り勾配の場合には平坦路（略水平な路面）に比べて大きな値とされるが、上り勾配では制動力に対する要求が比較的小さいため、ブレーキ操作による車両制動力を確保しつつ、第１の惰性走行や第２の惰性走行による走行距離が長くなって燃費が一層向上する。【００２２】
第４発明は、第１の惰性走行中にブレーキ要求量が第１判定値α以上になったら第２の惰性走行へ移行し、その第２の惰性走行中にブレーキ要求量が第２判定値β以上になったらエンジンブレーキ走行に復帰する場合で、ブレーキ要求量に応じてブレーキブースタによるブレーキ力の増幅作用が得られるようになり、更にエンジンブレーキ走行による大きなエンジンブレーキ力が得られるようになるため、車両制動力を適切に確保しつつ燃費を一層向上させることができる。【００２３】
第５発明は、第２の惰性走行中にブレーキ要求量が第２判定値β以上になったらエンジンブレーキ走行に復帰するだけでなく、第１の惰性走行中にブレーキ要求量が第１判定値α以上になった場合もエンジンブレーキ走行に復帰するため、エンジンブレーキ走行による大きなエンジンブレーキ力や、そのエンジン回転に伴うブレーキブースタによるブレーキ力の増幅作用が速やかに得られるようになり、車両制動力を適切に確保できる。【００２４】
第６発明は、第１の惰性走行としてフリーラン惰性走行が実行され、第２の惰性走行としてニュートラル惰性走行が実行される場合で、第７発明は、第１の惰性走行としてフリーラン惰性走行が実行され、第２の惰性走行として気筒休止惰性走行が実行される場合であり、何れもエンジンブレーキ走行に比較してエンジンブレーキ力が小さくなり、惰性走行による走行距離が長くなって燃費を向上させることができる。
【図面の簡単な説明】
【００２５】
【図１】本発明が好適に適用される車両用駆動装置の骨子図に、制御系統の要部を併せて示した概略構成図である。
【図２】図１の車両用駆動装置によって実行される３つの走行モードを説明する図である。
【図３】図１の車両用駆動装置によって実行されるフリーラン惰性走行およびニュートラル惰性走行のブレーキ操作力Ｂｒｋに対する実行領域の違いを説明する図である。
【図４】図３の判定値α、βを路面勾配Φに応じて設定する際のデータマップの一例を示す図である。
【図５】図１の電子制御装置によって実行される惰性走行の終了判定に関する作動を説明するフローチャートである。
【図６】図５のフローチャートに従ってフリーラン惰性走行からニュートラル惰性走行へ切り換えられ、更にエンジンブレーキ走行へ切り換えられた場合の各部の作動状態の変化を示すタイムチャートの一例である。
【図７】図５のフローチャートに従ってフリーラン惰性走行からエンジンブレーキ走行へ切り換えられた場合の各部の作動状態の変化を示すタイムチャートの一例である。
【図８】図５のフローチャートに従ってニュートラル惰性走行からエンジンブレーキ走行へ切り換えられた場合の各部の作動状態の変化を示すタイムチャートの一例である。
【図９】本発明の他の実施例を説明する図で、図１の車両用駆動装置によって実行される３つの走行モードを説明する図である。
【図１０】本発明の更に別の実施例を説明する図で、図５のステップＳ５以下の作動の別の例を説明するフローチャートである。
【発明を実施するための形態】
【００２６】
本発明は、駆動力源として少なくともエンジンを備えている車両に適用され、エンジン駆動車両に好適に適用されるが、エンジンの他に電動モータやモータジェネレータを駆動力源として備えているハイブリッド車両などにも適用され得る。エンジンは、燃料の燃焼で動力を発生する内燃機関などである。ブレーキ要求量に応じて運転者によって操作されるブレーキ操作部材は、例えば運転者によって足踏み操作されるブレーキペダルで、ブレーキ要求量は踏込み操作力や踏込みストロークなどである。そのブレーキ要求量に対応して機械的または電気制御でブレーキブースタを介して発生させられるブレーキ油圧などを、ブレーキ要求量として用いることもできる。
【００２７】
エンジンと車輪との間には、それ等の間の動力伝達を接続遮断する断接装置が配設され、エンジンを車輪から切り離すことができるように構成される。断接装置としては、摩擦係合式のクラッチやブレーキが好適に用いられるが、電気的に反力を制御して動力伝達を接続遮断することもできるなど、種々の断接装置を採用できる。複数のクラッチやブレーキを備えていてニュートラルが可能な自動変速機を利用することもできる。
【００２８】
エンジンブレーキ走行は、エンジンの全部の気筒が被駆動回転させられることによりポンピングロスやフリクショントルク等の回転抵抗でエンジンブレーキ力を発生させるもので、エンジンは燃料供給が停止されるフューエルカット（Ｆ／Ｃ）状態であっても良いし、所定量の燃料が供給されるアイドリング状態等の作動状態であっても良い。アイドリング状態の場合でも、車速等に応じた回転速度で被駆動回転させられることにより、エンジンブレーキ力が発生する。
【００２９】
第１の惰性走行は、例えば断接装置によりエンジンを車輪から切り離すとともにエンジンに対する燃料供給を停止してエンジン回転を停止させるフリーラン惰性走行などである。また、第２の惰性走行は、例えば断接装置によりエンジンを車輪から切り離した状態でエンジンに燃料を供給して作動させるニュートラル惰性走行や、断接装置によりエンジンと車輪とを連結したままエンジンに対する燃料供給を停止するとともに、複数の気筒の中の一部の気筒のピストンおよび吸排気弁の少なくとも一方の動作を停止させる気筒休止惰性走行などである。ニュートラル惰性走行は、例えば燃料の供給量が略最少のアイドル状態でエンジンを作動させることが望ましいが、アイドル状態以外で作動させるようにしても良い。気筒休止惰性走行におけるピストンや吸排気弁の停止は、例えばクランク軸との間に配設されたクラッチ機構を遮断することにより機械的に行うことができる。吸排気弁については、例えばクランク軸の回転と独立に開閉制御できる電磁式等の吸排気弁が用いられる場合、その作動を停止させれば良い。吸排気弁の停止位置は、例えば何れも閉弁状態となる位置が適当であるが、何れも開弁状態となる位置で停止させるなど、適宜定められる。第２の惰性走行として、ニュートラル惰性走行および気筒休止惰性走行が場合分けして共に実行される場合にも、本発明は適用され得る。その場合の第２判定値βは同じ値でも異なる値でも良い。
【００３０】
上記第２の惰性走行は、エンジンを回転させたまま、エンジンブレーキ力をエンジンブレーキ走行に比べて低下させた状態で走行するもので、エンジンの回転によりブレーキブースタに負圧を供給できるものである。したがって、上記気筒休止惰性走行は、複数の気筒の一部が休止させられ、残りの気筒はクランク軸の回転に同期してピストンおよび吸排気弁が作動させられるように構成される。例えば８気筒エンジンの場合、半分の４気筒だけ休止して残りの４気筒を作動させたり、６気筒だけ休止して残りの２気筒を作動させたりするように構成される。なお、全部の気筒を休止させて惰性走行を実行する場合、ブレーキブースタによるブレーキ力の増幅作用が低下するため、第１の惰性走行と同様に、前記第１判定値α等の比較的小さいブレーキ要求量で終了してエンジンブレーキ走行へ復帰させることが望ましい。
【００３１】
本発明は、第１の惰性走行および第２の惰性走行の終了判定に関するもので、それ等の惰性走行の実行条件（開始条件）については適宜定められる。例えばアクセル操作量等の出力要求量が０（アクセルＯＦＦ）の状態が一定時間以上継続した場合に、ブレーキ要求量が第１判定値α未満の時には第１の惰性走行の実行を開始し、第１判定値α以上で第２判定値β未満の時には第２の惰性走行の実行を開始するように定められる。また、第２の惰性走行ではエンジンの回転でオルタネータ等により発電できるため、バッテリーの残量が所定量以下の場合など電気エネルギーの必要性に応じて第１の惰性走行を制限し、上記第１判定値α未満でも第２の惰性走行が実行されるようにしても良い。エンジン水温が所定温度以下の場合も、暖機のために第１判定値α未満でも第２の惰性走行（ニュートラル惰性走行）が実行されるようにすることができる。エンジン回転に伴ってオイルポンプが機械的に駆動される場合には、油圧の必要性に応じて第１判定値α未満でも第２の惰性走行が実行されるようにすることができる。路面が下り勾配の場合には、第１判定値α未満でも、ブレーキブースタによるブレーキ力の増幅作用が得られる第２の惰性走行が実行されるようにすることができる。
【００３２】
本発明は、上記のような実行条件に従って第１の惰性走行または第２の惰性走行の実行が開始された場合に、少なくともブレーキ要求量に関しては、第１の惰性走行の方が第２の惰性走行よりもブレーキ要求量が小さい段階で終了させられるように構成される。他の制御終了条件が定められても良い。そして、第１の惰性走行の実行時にブレーキ要求量が第１判定値α以上になると、その第１の惰性走行が終了させられ、例えば第２の惰性走行へ移行したりエンジンブレーキ走行に復帰したりするように構成されるが、他の走行モードへ移行することも可能である。また、第２の惰性走行の実行時にブレーキ要求量が第２判定値β以上になると、その第２の惰性走行が終了させられ、例えばエンジンブレーキ走行に復帰するように構成されるが、他の走行モードへ移行することも可能である。
【００３３】
第２発明、第３発明では、上記第１判定値αおよび第２判定値βが路面の勾配に応じて設定されるが、他の発明の実施に際しては、必ずしも勾配に応じて設定される必要はなく、一定値であっても良い。路面勾配以外にも、例えばバッテリーの残量やエンジン水温、油圧の必要性などの車両状態を考慮して第１判定値αや第２判定値βが設定されるようにしても良い。第１判定値αおよび第２判定値βの何れか一方だけ可変としても良い。これ等の可変設定は、判定値α、βを連続的に変化させるものでも、２段階を含めて段階的に変化させるものでも良く、予めデータマップや演算式等によって定められる。
【実施例】
【００３４】
以下、本発明の実施例を、図面を参照しつつ詳細に説明する。
図１は、本発明が好適に適用される車両用駆動装置１０の骨子図に、制御系統の要部を併せて示した概略構成図である。車両用駆動装置１０は、燃料の燃焼で動力を発生するガソリンエンジンやディーゼルエンジン等の内燃機関であるエンジン１２を駆動力源として備えており、そのエンジン１２の出力は自動変速機１６から差動歯車装置１８を介して左右の車輪２０に伝達される。エンジン１２と自動変速機１６との間には、ダンパ装置やトルクコンバータ等の動力伝達装置が設けられているが、駆動力源として機能するモータジェネレータを配設することもできる。【００３５】
エンジン１２は、電子スロットル弁や燃料噴射装置などのエンジン１２の出力制御に必要な種々の機器や気筒休止装置等を有するエンジン制御装置３０を備えている。電子スロットル弁は吸入空気量を制御するもので、燃料噴射装置は燃料の供給量を制御するものであり、基本的には運転者の出力要求量であるアクセルペダルの操作量（アクセル操作量）θacc に応じて制御される。燃料噴射装置は、車両走行中であってもアクセル操作量θacc が０のアクセルＯＦＦ時等に燃料供給を停止（フューエルカットＦ／Ｃ）することができる。気筒休止装置は、例えば８気筒等の複数の気筒の一部または全部の吸排気弁を、クラッチ機構等によりクランク軸から機械的に切り離して停止させることかできるもので、例えば給排気弁を何れも閉弁状態となる位置で停止させる。これにより、上記フューエルカット状態でエンジン１２が被駆動回転させられる際のポンピングロスが低減され、エンジンブレーキ力が低下して惰性走行の走行距離を延ばすことができる。なお、吸排気弁を停止させる代わりにピストンをクランク軸から切り離して停止させるようにしても良い。【００３６】
自動変速機１６は、複数の油圧式摩擦係合装置（クラッチやブレーキ）の係合解放状態によって変速比ｅが異なる複数のギヤ段が成立させられる遊星歯車式等の有段の自動変速機で、油圧制御装置３２に設けられた電磁式の油圧制御弁や切換弁等によって変速制御が行われる。クラッチＣ１は自動変速機１６の入力クラッチとして機能するもので、同じく油圧制御装置３２によって係合解放制御される。このクラッチＣ１は、エンジン１２と車輪２０との間を接続したり遮断したりする断接装置に相当する。上記自動変速機１６として、有段変速機の代わりにベルト式等の無段変速機を用いることもできる。【００３７】
車輪２０にはホイールブレーキ３４が備えられており、運転者によって足踏み操作されるブレーキペダル４０のブレーキ操作力（踏力）Ｂｒｋに応じて制動力が発生させられる。ブレーキ操作力Ｂｒｋはブレーキ要求量に相当し、本実施例ではそのブレーキ操作力Ｂｒｋに応じて機械的にブレーキブースタ４２を介してブレーキマスターシリンダ４４からブレーキ油圧が発生させられ、そのブレーキ油圧によって制動力が発生させられる。ブレーキブースタ４２は、エンジン１２の回転により発生する負圧を利用してブレーキ操作力Ｂｒｋを増幅するもので、ブレーキマスターシリンダ４４から出力されるブレーキ油圧が増幅され、大きな制動力が得られるようになる。ブレーキペダル４０はブレーキ操作部材に相当する。【００３８】
以上のように構成された車両用駆動装置１０は、電子制御装置５０を備えている。電子制御装置５０は、ＣＰＵ、ＲＯＭ、ＲＡＭ、及び入出力インターフェースなどを有する所謂マイクロコンピュータを含んで構成されており、ＲＡＭの一時記憶機能を利用しつつＲＯＭに予め記憶されたプログラムに従って信号処理を行う。電子制御装置５０には、ブレーキ操作量センサ６０から前記ブレーキ操作力Ｂｒｋを表す信号が供給されるとともに、アクセル操作量センサ６２からアクセル操作量θacc を表す信号が供給される。また、エンジン回転速度センサ６４からエンジン１２の回転速度（エンジン回転速度）ＮＥを表す信号が供給され、路面勾配センサ６６から路面の勾配Φを表す信号が供給される。この他、各種の制御に必要な種々の情報が供給されるようになっている。路面勾配センサ６６はＧ（加速度）センサなどであるが、エンジン１２の出力および車速Ｖの変化などから計算によって路面勾配Φを求めることもできる。【００３９】
上記電子制御装置５０は、機能的にエンジンブレーキ走行手段５２、フリーラン惰性走行手段５４、ニュートラル惰性走行手段５６、走行モード切換制御手段５８を備えている。エンジンブレーキ走行手段５２、フリーラン惰性走行手段５４、ニュートラル惰性走行手段５６は、それぞれ図２に示す３種類の走行モードを実行するためのもので、エンジンブレーキ走行手段５２はエンジンブレーキ走行を実行する。エンジンブレーキ走行は、アクセルＯＦＦ時にエンジン１２と車輪２０との連結状態を維持したまま走行するもので、エンジン１２の全部の気筒が被駆動回転させられることによりポンピングロスやフリクショントルクなどでエンジンブレーキが発生する。エンジン１２は、燃料供給を停止したフューエルカット状態でも良いが、本実施例ではアクセルＯＦＦ時と同様に最少量の燃料が供給されるアイドリング状態に制御される。また、自動変速機１６は、車速Ｖ等に応じて所定のギヤ段が成立させられ、クラッチＣ１は係合状態に保持される。これにより、エンジン１２は車速Ｖおよび変速比ｅに応じて定まる所定の回転速度で被駆動回転させられ、その回転速度に応じた大きさのエンジンブレーキ力が発生させられる。また、エンジン１２が所定の回転速度で被駆動回転させられるため、そのエンジン回転により発生する負圧を利用したブレーキブースタ４２によるブレーキ操作力Ｂｒｋの増幅作用が適切に得られて、ブレーキ操作による車両制動力が十分に得られる。図２の「負圧供給」は、このブレーキブースタ４２の負圧タンクに対する負圧の供給（充填）の有無で、負圧供給無しの場合には、ブレーキペダル４０の繰り返し操作によって負圧タンク内の負圧が低下（大気圧に接近）し、ブレーキ操作力Ｂｒｋに対する増幅作用が低下する。【００４０】
フリーラン惰性走行手段５４は、アクセルＯＦＦ時にフリーラン惰性走行を行う。フリーラン惰性走行は、クラッチＣ１を解放してエンジン１２を車輪２０から切り離すとともに、そのエンジン１２に対する燃料供給を停止するフューエルカットＦ／Ｃを行い、エンジン１２の回転を停止させた状態で走行する。この場合には、エンジンブレーキ力が上記エンジンブレーキ走行よりも小さくなり、クラッチＣ１が解放されることからエンジンブレーキ力は略０になるため、走行抵抗が小さくなって惰性走行による走行距離が長くなり、燃費を向上させることができる。一方、エンジン１２の回転が停止させられることから、そのエンジン回転により発生する負圧を利用したブレーキブースタ４２によるブレーキ操作力Ｂｒｋの増幅作用が低下する。本実施例では、このフリーラン惰性走行が第１の惰性走行として実行される。【００４１】
ニュートラル惰性走行手段５６は、アクセルＯＦＦ時にニュートラル惰性走行を行う。ニュートラル惰性走行は、クラッチＣ１を解放してエンジン１２を車輪２０から切り離す一方、そのエンジン１２に燃料を供給してアイドリング状態で作動（自力回転）させた状態で走行する。この場合も、エンジンブレーキ力が前記エンジンブレーキ走行よりも小さくなり、クラッチＣ１が解放されることからエンジンブレーキ力は略０になるため、走行抵抗が小さくなって惰性走行による走行距離が長くなり、燃費を向上させることができる。一方、エンジン１２はアイドリング状態で回転させられるため、そのエンジン回転により発生する負圧を利用したブレーキブースタ４２によるブレーキ操作力Ｂｒｋの増幅作用が適切に得られ、ブレーキ操作による車両制動力が確保される。エンジン１２がアイドリング状態で作動させられることで燃費が消費されるが、エンジンブレーキ走行に比較して惰性走行の距離が長くなるため再加速の頻度が少なくなり、全体として燃費が向上する。本実施例では、このニュートラル惰性走行が第２の惰性走行として実行される。【００４２】
走行モード切換制御手段５８は、上記エンジンブレーキ走行、フリーラン惰性走行、およびニュートラル惰性走行の３種類の走行モードを切り換えるもので、ブレーキ操作力Ｂｒｋに関して、例えば図３の(a) 〜(c) の何れかに示す場合分け（実行条件）に従って切り換える。この場合分けは、少なくともブレーキ操作力Ｂｒｋを含んで定められれば良く、ブレーキ操作力Ｂｒｋ以外の条件に従って実行を開始したり終了したりしても良い。【００４３】
図３の(a) は、ブレーキ操作力Ｂｒｋが第１判定値α未満の時にはブレーキＯＦＦ（非操作）時を含めてフリーラン惰性走行を実行し、第１判定値α以上で第２判定値β未満の時にはニュートラル惰性走行を実行し、第２判定値β以上の時にはエンジンブレーキ走行を実行する。第１判定値αは、フリーラン惰性走行を実行する上限値で、この第１判定値α以上になるとフリーラン惰性走行は終了させられる。また、第２判定値βは、ニュートラル惰性走行を実行する上限値で、この第２判定値β以上になるとニュートラル惰性走行は終了させられる。第１判定値αは第２判定値βよりも小さく、ブレーキペダル４０が踏込み操作された場合、フリーラン惰性走行はニュートラル惰性走行よりも小さなブレーキ操作力Ｂｒｋで実行が終了させられる。【００４４】
(b) は、ブレーキ操作力Ｂｒｋが第１判定値α未満の時にはブレーキＯＦＦ時を含めてフリーラン惰性走行を実行する点は(a) と同じであるが、ニュートラル惰性走行が第２判定値β未満の時にブレーキＯＦＦ時を含めて実行される点が相違する。この場合、第１判定値α未満ではフリーラン惰性走行およびニュートラル惰性走行が予め定められた場合分けに従って実行される。例えば、ニュートラル惰性走行ではエンジン１２の回転でオルタネータ等により発電できるため、バッテリーの残量が所定量以下の場合など電気エネルギーの必要性に応じてフリーラン惰性走行を制限し、第１判定値α未満でもニュートラル惰性走行が実行されるようにする。エンジン水温が所定温度以下の場合も、暖機のために第１判定値α未満でもニュートラル惰性走行が実行されるようにする。エンジン回転に伴ってオイルポンプが機械的に駆動される場合には、油圧の必要性に応じて第１判定値α未満でもニュートラル惰性走行が実行されるようにするなど、種々の実行条件を設定することができる。この場合、第１判定値α未満でフリーラン惰性走行を実行中にブレーキ操作力Ｂｒｋがその第１の判定値α以上になったら、ニュートラル惰性走行へ切り換えることが望ましいが、そのままエンジンブレーキ走行へ移行するようにしても良い。【００４５】
(c) は上記(b) と略同じであるが、ニュートラル惰性走行の実行下限値である第３判定値γが、ブレーキＯＦＦのブレーキ操作力Ｂｒｋ＝０とは別個に定められている場合で、第１判定値αよりも小さな値が設定されている。この場合、第３判定値γ未満では、前記バッテリー残量やエンジン水温、油圧の必要性などに拘らずフリーラン惰性走行を実行し、第３判定値γ以上になったら必要に応じてニュートラル惰性走行へ切り換えるようにすれば良いが、フリーラン惰性走行を実行することなく第３判定値γ以上になったらニュートラル惰性走行を実行するようにしても良い。【００４６】
上記判定値αおよびβは、予め一定の値が定められても良いが、例えば図４に示すように路面勾配Φをパラメータとして設定されるようにしても良い。すなわち、路面勾配が負の下り勾配では、略水平な平坦路（Φ≒０）に比較して一般に大きな制動力が要求されるため、判定値αやβを小さくして、小さなブレーキ操作力Ｂｒｋでフリーラン惰性走行からニュートラル惰性走行へ移行し、ブレーキブースタ４２によるブレーキ操作力Ｂｒｋの増幅作用が適切に得られるようにし、或いはエンジンブレーキ走行に復帰して大きなエンジンブレーキ力が得られるようにする。逆に、路面勾配が正の上り勾配では、略水平な平坦路（Φ≒０）に比較して制動力に対する要求が低いため、判定値αやβを大きくしてフリーラン惰性走行やニュートラル惰性走行の実行範囲を広くして燃費を一層向上させることができる。このような判定値α、βは、予めデータマップや演算式等によって定められる。判定値γについても、判定値α、βと同様に路面勾配Φをパラメータとして設定されるようにしても良い。【００４７】
図５は、上記走行モード切換制御手段５８によってフリーラン惰性走行およびニュートラル惰性走行の終了判定を行い、他の走行モードへ切り換える際の作動に関するフローチャートである。ステップＳ１では、フリーラン惰性走行およびニュートラル惰性走行の何れかを実行中か否かを判断し、何れかの惰性走行を実行中であればステップＳ２で惰性走行の種類を判断する。この惰性走行を実行中か否かや惰性走行の種類は、例えば図２に示すエンジン１２の状態やクラッチＣ１の状態から判断することができるが、惰性走行の種類を表すフラグなどで判断しても良い。そして、ステップＳ３でフリーラン惰性走行か否かによって場合分けし、フリーラン惰性走行の場合にはステップＳ４以下を実行し、ニュートラル惰性走行の場合にはステップＳ７以下を実行する。【００４８】
ステップＳ４では、ブレーキ操作されているか否かをブレーキ操作力Ｂｒｋなどで判断し、ブレーキ操作されていない場合はそのまま終了してステップＳ１以下を繰り返すが、ブレーキ操作されている場合にはステップＳ５を実行する。ステップＳ５では、ブレーキ操作力Ｂｒｋが前記第１判定値α以上か否かを判断し、Ｂｒｋ＜αであればそのまま終了するが、Ｂｒｋ≧αの場合にはステップＳ６でエンジン１２を再始動することによりフリーラン惰性走行を終了する。ステップＳ６以降の処理は、前記図３の(a) 〜(c) の場合分けによって異なる。【００４９】
図６は、フリーラン惰性走行からニュートラル惰性走行へ移行する場合の各部の作動状態の変化を示すタイムチャートの一例で、図３の(a) の場合であるが、図３の(b) 、(c) でも一定の条件下で図６に示すように制御される。図６の時間ｔ１は、アクセルＯＦＦになった時間で、一定時間経過後（時間ｔ２）にクラッチＣ１が解放（ＯＦＦ）されるとともにフューエルカットされてフリーラン惰性走行が開始される。また、時間ｔ３は、ブレーキ操作力Ｂｒｋが第１判定値α以上になり、ステップＳ５の判断がＹＥＳ（肯定）になってエンジン１２が再始動させられた時間であり、これによりニュートラル惰性走行へ移行する。その後は、図５のステップＳ１以下が繰り返し実行されることにより、そのニュートラル惰性走行の終了判定が行われる。【００５０】
図７は、前記ステップＳ６でエンジン１２を再始動してそのまま惰性走行を終了し、エンジンブレーキ走行に復帰する場合で、図３の(b) または(c) の場合に一定の条件下で図７に示すように制御される。時間ｔ１〜ｔ３は図６と同じであるが、エンジン回転速度ＮＥがアイドル回転速度ＮＥidle付近で略安定したら（時間ｔ４）、クラッチＣ１を係合（ＯＮ）させてエンジンブレーキ走行に復帰する。【００５１】
図５に戻って、前記ステップＳ３の判断がＮＯ（否定）の場合、すなわちニュートラル惰性走行を実行中の場合には、ステップＳ７でブレーキ操作されているか否かをブレーキ操作力Ｂｒｋなどで判断する。そして、ブレーキ操作されていない場合はそのまま終了してステップＳ１以下を繰り返すが、ブレーキ操作されている場合にはステップＳ８を実行する。ステップＳ８では、ブレーキ操作力Ｂｒｋが前記第２判定値β以上か否かを判断し、Ｂｒｋ＜βであればそのまま終了するが、Ｂｒｋ≧βの場合にはステップＳ９でクラッチＣ１を係合し、ニュートラル惰性走行を終了してエンジンブレーキ走行に復帰する。前記図６の時間ｔ４は、ブレーキ操作力Ｂｒｋが第２判定値β以上になり、ステップＳ８の判断がＹＥＳになってクラッチＣ１が係合させられた時間である。【００５２】
図８は、惰性走行の開始当初よりニュートラル惰性走行が実行された場合で、前記図３の(b) の場合に一定の条件下で図８に示すように制御される。図８の時間ｔ１は、アクセルＯＦＦになった時間で、一定時間経過後（時間ｔ２）にクラッチＣ１が解放されることによりニュートラル惰性走行が開始される。エンジン１２は、アクセルＯＦＦに伴うアイドリング状態が維持される。また、時間ｔ３は、ブレーキ操作力Ｂｒｋが第２判定値β以上になり、ステップＳ８の判断がＹＥＳになってクラッチＣ１が係合させられた時間である。これにより、ニュートラル惰性走行が終了させられてエンジンブレーキ走行に復帰する。【００５３】
このように、本実施例の車両用駆動装置１０においては、惰性走行としてエンジン１２を回転停止させて走行するフリーラン惰性走行およびエンジン１２を回転させたまま走行するニュートラル惰性走行が共に実行され、エンジン１２を回転停止させて走行するフリーラン惰性走行は、ブレーキ操作力Ｂｒｋが比較的小さい第１判定値α以上になったら終了させられ、ステップＳ６でエンジン１２が再始動させられる。このエンジン１２の回転復帰により、ブレーキブースタ４２によるブレーキ操作力Ｂｒｋの増幅作用が適切に得られるようになり、ブレーキ操作による車両制動力が確保されるとともに、ブレーキ操作力Ｂｒｋが第１判定値αに達するまではフリーラン惰性走行が実行されてエンジン１２の回転が停止させられるため、優れた燃費向上効果が得られる。【００５４】
一方、エンジン１２を回転させたまま走行するニュートラル惰性走行は、ブレーキ操作力Ｂｒｋが比較的大きい第２判定値βに達するまで実行されるため、エンジン回転によりブレーキブースタ４２によるブレーキ操作力Ｂｒｋの増幅作用が得られることでブレーキ操作による車両制動力を確保しつつ、エンジンブレーキ走行よりも優れた燃費が得られる。【００５５】
このように、エンジン１２を回転停止させて走行することで優れた燃費効率が得られるフリーラン惰性走行は、ブレーキ操作力Ｂｒｋが第１判定値αに達するまで実行され、エンジン１２を回転させたまま走行することでブレーキブースタ４２によるブレーキ操作力Ｂｒｋの増幅作用が適切に得られるニュートラル惰性走行は、第１判定値αよりも大きい第２判定値βに達するまで実行されるため、フリーラン惰性走行およびニュートラル惰性走行の何れか一方だけを実行する場合に比較して、ブレーキ操作による車両制動力を確保しつつ全体として燃費を一層向上させることができる。【００５６】
また、第１判定値αおよび第２判定値βが、何れも下り勾配の場合には平坦路に比べて小さな値とされるため、フリーラン惰性走行が終了させられることによりブレーキブースタ４２による増幅作用が速やかに得られるようになるとともに、ニュートラル惰性走行が終了させられることによりエンジンブレーキ走行による大きなエンジンブレーキ力が速やかに得られるようになり、下り勾配で大きな車両制動力を確保できる。【００５７】
また、第１判定値αおよび第２判定値βが、何れも上り勾配の場合には平坦路に比べて大きな値とされるが、上り勾配では制動力に対する要求が比較的小さいため、ブレーキ操作による車両制動力を確保しつつフリーラン惰性走行やニュートラル惰性走行の実行範囲が広くなり、それ等の惰性走行による走行距離が長くなって燃費が一層向上する。【００５８】
また、図６のタイムチャートに示すようにフリーラン惰性走行中にブレーキ操作力Ｂｒｋが第１判定値α以上になったらニュートラル惰性走行へ移行し、そのニュートラル惰性走行中にブレーキ操作力Ｂｒｋが第２判定値β以上になったらエンジンブレーキ走行に復帰する場合には、ブレーキ操作力Ｂｒｋに応じてブレーキブースタ４２によるブレーキ操作力Ｂｒｋの増幅作用が得られるようになり、更にエンジンブレーキ走行による大きなエンジンブレーキ力が得られるようになるため、車両制動力を適切に確保しつつ燃費を一層向上させることができる。【００５９】
また、図７に示すように、フリーラン惰性走行中にブレーキ操作力Ｂｒｋが第１判定値α以上になったら直ちにエンジンブレーキ走行に復帰する場合には、エンジンブレーキ走行による大きなエンジンブレーキ力や、そのエンジン回転に伴うブレーキブースタ４２によるブレーキ操作力Ｂｒｋの増幅作用が速やかに得られるようになり、大きな車両制動力が確保される。【００６０】
また、第１の惰性走行としてフリーラン惰性走行が実行され、第２の惰性走行としてニュートラル惰性走行が実行されるが、何れもクラッチＣ１が解放されてエンジンブレーキ力が略０になり、エンジンブレーキ走行に比較してエンジンブレーキ力が格段に小さくなるため、惰性走行による走行距離が長くなって燃費が向上する。ニュートラル惰性走行ではエンジン１２がアイドリング状態で作動させられるため燃費が悪くなるものの、惰性走行による走行距離が長くなって再加速の頻度が少なくなるため、エンジンブレーキ走行に比べて十分に燃費を改善することができる。【００６１】
次に、本発明の他の実施例を説明する。
前記実施例では第２の惰性走行としてニュートラル惰性走行を実行するが、図９に示すように、そのニュートラル惰性走行の代わりに気筒休止惰性走行を実行するようにしても良い。すなわち、前記ニュートラル惰性走行手段５６の代わりに気筒休止惰性走行手段を設け、気筒休止惰性走行が実行されるようにする。気筒休止惰性走行は、クラッチＣ１の係合状態を維持してエンジン１２と車輪２０とを連結したまま、エンジン１２に対する燃料供給を停止（フューエルカットＦ／Ｃ）するとともに、前記エンジン制御装置３０の気筒休止装置により複数の気筒の中の一部（例えば半分）の気筒の吸排気弁が何れも閉弁状態となる位置で停止させる。この場合、クランク軸が車速Ｖや自動変速機１６のギヤ段に応じて被駆動回転させられるが、吸排気弁が閉弁状態で停止させられるため、クランク軸に同期して開閉させられる場合に比較してポンピング作用によるロスが小さくなり、エンジンブレーキ走行よりもエンジンブレーキ力が低減される。これにより惰性走行による走行距離が長くなり、燃費が向上する。また、複数の気筒の一部の気筒が休止させられるだけで、残りの気筒はクランク軸に同期して吸排気弁が開閉させられるため、それ等の気筒によるポンピング作用でブレーキブースタ４２に負圧が供給され、ブレーキ操作力Ｂｒｋの増幅作用が得られる。【００６２】
したがって、前記ニュートラル惰性走行に比較してエンジンブレーキ力が大きく、惰性走行による走行距離は比較的短くなるが、エンジン１２はフューエルカットされて被駆動回転させられるだけであるため、燃費としてはニュートラル惰性走行と同程度或いは同等以上の効率が得られる。また、気筒休止は一部の気筒だけで残りの気筒についてはポンピング作用により負圧が発生させられ、ニュートラル惰性走行と同様にブレーキブースタ４２によるブレーキ操作力Ｂｒｋの増幅作用が得られる。これにより、前記実施例においてニュートラル惰性走行に代えて気筒休止惰性走行を実行するようにしても、前記実施例と同様の作用効果が得られる。その場合に、フリーラン惰性走行から気筒休止惰性走行へ移行する際には、クラッチＣ１を係合させてエンジン１２を被駆動回転させるとともに、気筒休止装置により一部の気筒の吸排気弁を閉弁位置で停止させれば良い。また、気筒休止惰性走行からエンジンブレーキ走行に復帰する際には、気筒休止装置による吸排気弁の停止を解除し、それ等の吸排気弁をクランク軸に連結して開閉駆動されるようにするとともに、エンジン１２に対する燃料噴射を再開してアイドリング状態で作動させれば良い。【００６３】
上記気筒休止惰性走行を実行する実行条件や、気筒休止惰性走行の実行を終了するブレーキ操作力Ｂｒｋの第２判定値βは、前記実施例と同じであっても良いが、異なる値を設定しても良い。また、第２の惰性走行として、ニュートラル惰性走行および気筒休止惰性走行が場合分けして共に実行されるようにしても良い。【００６４】
また、前記実施例では、図５のフローチャートのステップＳ５の判断がＹＥＳになった場合にステップＳ６でエンジン１２が再始動させられるが、例えば図１０に示すように構成することもできる。すなわち、ステップＳ５の判断がＹＥＳになったら、ステップＳ１１で第２の惰性走行（ニュートラル惰性走行または気筒休止惰性走行）の実行が可能か否かを実行条件に従って判断し、可能であればステップＳ１２でその第２の惰性走行へ移行する。また、第２の惰性走行が不可の場合にはステップＳ１３を実行し、エンジン１２を再始動するとともにクラッチＣ１を係合させて直ちにエンジンブレーキ走行に復帰する。この場合も実質的に前記実施例と同様の作用効果が得られる。【００６５】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００６６】
１０：車両用駆動装置    １２：エンジン    ２０：車輪    ４０：ブレーキペダル（ブレーキ操作部材）    ４２：ブレーキブースタ    ５０：電子制御装置    ５２：エンジンブレーキ走行手段    ５４：フリーラン惰性走行手段（第１の惰性走行）    ５６：ニュートラル惰性走行手段（第２の惰性走行）    ５８：走行モード切換制御手段    ６０：ブレーキ操作量センサ    ６６：路面勾配センサ    Ｂｒｋ：ブレーキ操作力（ブレーキ要求量）    Φ：路面勾配    α：第１判定値    β：第２判定値
【図１】
2014068725.tif 000003
【図２】
2014068725.tif 000004
【図３】
2014068725.tif 000005
【図４】
2014068725.tif 000006
【図５】
2014068725.tif 000007
【図６】
2014068725.tif 000008
【図７】
2014068725.tif 000009
【図８】
2014068725.tif 000010
【図９】
2014068725.tif 000011
【図１０】
2014068725.tif 000012
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
エンジンと、運転者のブレーキ要求量に応じて操作されるブレーキ操作部材と、前記エンジンの回転により発生する負圧を利用してブレーキ力を増幅するブレーキブースタと、を備えており、
前記エンジンと車輪とを連結したまま該エンジンの被駆動回転によりエンジンブレーキを効かせて走行するエンジンブレーキ走行、および該エンジンブレーキ走行よりもエンジンブレーキ力を低下させた状態で走行する惰性走行が可能で、該惰性走行を終了する条件として前記ブレーキ要求量が含まれている車両の走行制御装置において、
前記惰性走行として、前記エンジンを回転停止させて走行する第１の惰性走行、および前記エンジンを回転させたまま走行する第２の惰性走行を、それぞれ予め定められた実行条件に従って実行する一方、
前記第１の惰性走行の実行中に前記ブレーキ要求量が予め定められた第１判定値以上になったら該第１の惰性走行が終了させられ、
前記第２の惰性走行の実行中に前記ブレーキ要求量が前記第１判定値よりも大きい予め定められた第２判定値以上になったら該第２の惰性走行が終了させられて前記エンジンブレーキ走行に復帰する
ことを特徴とする車両の走行制御装置。
【請求項２】
前記第１判定値および前記第２判定値は、何れも路面の勾配に応じて設定され、下り勾配の場合には平坦路に比べて小さな値が定められる
ことを特徴とする請求項１に記載の車両の走行制御装置。
【請求項３】
前記第１判定値および前記第２判定値は、何れも路面の勾配に応じて設定され、上り勾配の場合には平坦路に比べて大きな値が定められる
ことを特徴とする請求項１または２に記載の車両の走行制御装置。
【請求項４】
前記第１の惰性走行中に前記ブレーキ要求量が前記第１判定値以上になったら前記第２の惰性走行へ移行する
ことを特徴とする請求項１〜３の何れか１項に記載の車両の走行制御装置。
【請求項５】
前記第１の惰性走行中に前記ブレーキ要求量が前記第１判定値以上になったら前記エンジンブレーキ走行に復帰する
ことを特徴とする請求項１〜３の何れか１項に記載の車両の走行制御装置。
【請求項６】
前記第１の惰性走行は、前記エンジンを前記車輪から切り離すとともに該エンジンに対する燃料供給を停止して回転停止させるフリーラン惰性走行で、
前記第２の惰性走行は、前記エンジンを前記車輪から切り離した状態で該エンジンに燃料を供給して作動させるニュートラル惰性走行である
ことを特徴とする請求項１〜５の何れか１項に記載の車両の走行制御装置。
【請求項７】
前記第１の惰性走行は、前記エンジンを前記車輪から切り離すとともに該エンジンに対する燃料供給を停止して回転停止させるフリーラン惰性走行で、
前記第２の惰性走行は、前記エンジンと前記車輪とを連結したまま該エンジンに対する燃料供給を停止するとともに、該エンジンの複数の気筒の中の一部の気筒のピストンおよび吸排気弁の少なくとも一方の動作を停止させる気筒休止惰性走行である
ことを特徴とする請求項１〜５の何れか１項に記載の車両の走行制御装置。
【手続補正２】
【補正対象書類名】明細書
【補正対象項目名】０００７
【補正方法】変更
【補正の内容】
【０００７】
かかる目的を達成するために、第１発明は、（ａ）エンジンと、運転者のブレーキ要求量に応じて操作されるブレーキ操作部材と、前記エンジンの回転により発生する負圧を利用してブレーキ力を増幅するブレーキブースタと、を備えており、（ｂ）前記エンジンと車輪とを連結したままそのエンジンの被駆動回転によりエンジンブレーキを効かせて走行するエンジンブレーキ走行、およびそのエンジンブレーキ走行よりもエンジンブレーキ力を低下させた状態で走行する惰性走行が可能で、その惰性走行を終了する条件として前記ブレーキ要求量が含まれている車両の走行制御装置において、（ｃ）前記惰性走行として、前記エンジンを回転停止させて走行する第１の惰性走行、および前記エンジンを回転させたまま走行する第２の惰性走行を、それぞれ予め定められた実行条件に従って実行する一方、（ｄ）前記第１の惰性走行の実行中に前記ブレーキ要求量が予め定められた第１判定値α以上になったらその第１の惰性走行が終了させられ、（ｅ）前記第２の惰性走行の実行中に前記ブレーキ要求量が前記第１判定値αよりも大きい予め定められた第２判定値β以上になったらその第２の惰性走行が終了させられて前記エンジンブレーキ走行に復帰することを特徴とする。
【手続補正３】
【補正対象書類名】明細書
【補正対象項目名】００１０
【補正方法】変更
【補正の内容】
【００１０】
第４発明は、第１発明〜第３発明の何れかの車両の走行制御装置において、前記第１の惰性走行中に前記ブレーキ要求量が前記第１判定値α以上になったら前記第２の惰性走行へ移行することを特徴とする。
【手続補正４】
【補正対象書類名】明細書
【補正対象項目名】００１１
【補正方法】変更
【補正の内容】
【００１１】
第５発明は、第１発明〜第３発明の何れかの車両の走行制御装置において、前記第１の惰性走行中に前記ブレーキ要求量が前記第１判定値α以上になったら前記エンジンブレーキ走行に復帰することを特徴とする。
【手続補正５】
【補正対象書類名】明細書
【補正対象項目名】００１９
【補正方法】変更
【補正の内容】
【００１９】
このように、エンジンを回転停止させて走行することで優れた燃費効率が得られる第１の惰性走行は、ブレーキ要求量が第１判定値αに達するまで実行され、エンジンを回転させたまま走行することでブレーキブースタによるブレーキ力の増幅作用が適切に得られる第２の惰性走行は、第１判定値αよりも大きい第２判定値βに達するまで実行されるため、第１の惰性走行および第２の惰性走行の何れか一方だけを実行する場合に比較して、ブレーキ操作による車両制動力を適切に確保しつつ全体として燃費を一層向上させることができる。
また、第２の惰性走行中にブレーキ要求量が第２判定値β以上になったらエンジンブレーキ走行に復帰するため、ブレーキブースタによるブレーキ力の増幅作用が得られるとともに、更にエンジンブレーキ走行による大きなエンジンブレーキ力が得られるようになり、車両制動力を適切に確保できる。
【手続補正６】
【補正対象書類名】明細書
【補正対象項目名】００２２
【補正方法】変更
【補正の内容】
【００２２】
第４発明は、第１の惰性走行中にブレーキ要求量が第１判定値α以上になったら第２の惰性走行へ移行する場合で、ブレーキ要求量に応じてブレーキブースタによるブレーキ力の増幅作用が得られるようになるため、車両制動力を適切に確保しつつ燃費を一層向上させることができる。
【手続補正７】
【補正対象書類名】明細書
【補正対象項目名】００３２
【補正方法】変更
【補正の内容】
【００３２】
本発明は、上記のような実行条件に従って第１の惰性走行または第２の惰性走行の実行が開始された場合に、少なくともブレーキ要求量に関しては、第１の惰性走行の方が第２の惰性走行よりもブレーキ要求量が小さい段階で終了させられるように構成される。他の制御終了条件が定められても良い。そして、第１の惰性走行の実行時にブレーキ要求量が第１判定値α以上になると、その第１の惰性走行が終了させられ、例えば第２の惰性走行へ移行したりエンジンブレーキ走行に復帰したりするように構成されるが、他の走行モードへ移行することも可能である。また、第２の惰性走行の実行時にブレーキ要求量が第２判定値β以上になると、その第２の惰性走行が終了させられ、エンジンブレーキ走行に復帰するように構成されるが、他の走行モードへ移行することも可能である。
【手続補正書】
【提出日】平成28年4月7日(2016.4.7)
【手続補正１】
【補正対象書類名】特許請求の範囲
【補正対象項目名】請求項１
【補正方法】変更
【補正の内容】
【請求項１】
エンジンと、運転者のブレーキ要求量に応じて操作されるブレーキ操作部材と、前記エンジンの回転により発生する負圧を利用してブレーキ力を増幅するブレーキブースタと、を備えており、
前記エンジンと車輪とを連結したまま該エンジンの被駆動回転によりエンジンブレーキを効かせて走行するエンジンブレーキ走行、および該エンジンブレーキ走行よりもエンジンブレーキ力を低下させた状態で走行する惰性走行が可能で、該エンジンブレーキ走行の実行時に一定の条件下で該惰性走行に切り換えて走行するとともに、該惰性走行を終了する条件として前記ブレーキ要求量が含まれている車両の走行制御装置において、
前記惰性走行として、前記エンジンを回転停止させて走行する第１の惰性走行、および前記エンジンを回転させたまま走行する第２の惰性走行を、それぞれ予め定められた実行条件に従って実行する一方、
前記第１の惰性走行の実行中に前記ブレーキ要求量が予め定められた第１判定値以上になったら該第１の惰性走行が終了させられ、
前記第２の惰性走行の実行中に前記ブレーキ要求量が前記第１判定値よりも大きい予め定められた第２判定値以上になったら該第２の惰性走行が終了させられて前記エンジンブレーキ走行に復帰する
ことを特徴とする車両の走行制御装置。
【手続補正２】
【補正対象書類名】明細書
【補正対象項目名】０００７
【補正方法】変更
【補正の内容】
【０００７】
かかる目的を達成するために、第１発明は、（ａ）エンジンと、運転者のブレーキ要求量に応じて操作されるブレーキ操作部材と、前記エンジンの回転により発生する負圧を利用してブレーキ力を増幅するブレーキブースタと、を備えており、（ｂ）前記エンジンと車輪とを連結したままそのエンジンの被駆動回転によりエンジンブレーキを効かせて走行するエンジンブレーキ走行、およびそのエンジンブレーキ走行よりもエンジンブレーキ力を低下させた状態で走行する惰性走行が可能で、そのエンジンブレーキ走行の実行時に一定の条件下でその惰性走行に切り換えて走行するとともに、その惰性走行を終了する条件として前記ブレーキ要求量が含まれている車両の走行制御装置において、（ｃ）前記惰性走行として、前記エンジンを回転停止させて走行する第１の惰性走行、および前記エンジンを回転させたまま走行する第２の惰性走行を、それぞれ予め定められた実行条件に従って実行する一方、（ｄ）前記第１の惰性走行の実行中に前記ブレーキ要求量が予め定められた第１判定値α以上になったらその第１の惰性走行が終了させられ、（ｅ）前記第２の惰性走行の実行中に前記ブレーキ要求量が前記第１判定値αよりも大きい予め定められた第２判定値β以上になったらその第２の惰性走行が終了させられて前記エンジンブレーキ走行に復帰することを特徴とする。
【国際調査報告】
2014068725.tif 000013
2014068725.tif 000014
2014068725.tif 000015
2014068725.tif 000016